(57)【要約】      （修正有）【課題】風雨を容易、確実に防ぐことができるレインポンチョを提供する。【解決手段】防水フード部１と、それに連続する防水コート部２とを含むレインポンチョ１０であり、ポンチョ１０の防水フード部１は、周縁部が縁取り枠７で縁取られた防水顔面カバー６を備えており、縁取り枠７は、少なくともカバー６の下縁部を縁取る部分７ａが、該枠部分７ａを屈曲変形可能にする形状保持芯材７１を備えることにより、着用者の顔面について、風雨を容易、確実に防ぐことができる。【選択図】図１
2011127263.tif 000002
【特許請求の範囲】
【請求項１】
防水フード部と、該防水フード部に連続する防水コート部とを含むレインポンチョであり、前記防水フード部は、周縁部が縁取り枠で縁取られた防水顔面カバーを備えており、該縁取り枠は、少なくとも前記防水顔面カバーの下縁部を縁取る部分が屈曲変形可能な形状保持芯材を含んでいることを特徴とするレインポンチョ。
【請求項２】
前記形状保持芯材は前記縁取り枠に沿って該縁取り枠全体に設けられている請求項１記載のレインポンチョ。
【請求項３】
前記形状保持芯材は屈曲変形可能の樹脂主体の芯材である請求項１又は２記載のレインポンチョ。
【請求項４】
前記防水コート部は正面側シート部及び背面側シート部を含んでおり、該正面側シート部の裏面に手掛け部が設けられている請求項１、２又は３記載のレインポンチョ。
【請求項５】
前記防水コート部は正面側シート部及び背面側シート部を含んでおり、該正面側シート部の下端部に、両端が該正面側シート部の下端部に連結された、自転車ハンドルシャフトへ引っ掛け可能の紐を備えており、該紐はその途中に引っ張り分離可能の連結具を含んでいる請求項１、２、３又は４記載のレインポンチョ。
【発明の詳細な説明】
【技術分野】
【０００１】
本発明は防雨用のポンチョ、すなわちレインポンチョに関する。
【背景技術】
【０００２】
従来、レインポンチョは種々のものが提案され、実用化されてきたが、それらは、基本的には防水フード部と、該防水フード部に連続する防水コート部とを含むものである。
防水フード部は、人体の顔面以外の頭の部分及び該部分に続く首の部分を覆うものである。
【０００３】
このようなレインポンチョを着用する人は、防水フード部で前記頭及び首の部分を覆うとともに防水コート部で肩部分、両腕部分、背部、胸部等を覆って風雨を防ぐことができる。
【０００４】
このようなレインポンチョは例えば実用新案登録第３０５３６０９号公報、特開２００４−１０５６９５号公報に記載されている。
【先行技術文献】
【特許文献】
【０００５】
【特許文献１】実用新案登録第３０５３６０９号公報
【特許文献２】特開２００４−１０５６９５号公報
【発明の概要】
【発明が解決しようとする課題】
【０００６】
しかしながら、このような従来のレインポンチョによると、その着用者の顔面は露出したままであるから、顔面については風雨を防ぎ難い。特に、風雨の強いときや、それほど風雨が強くないときでもレインポンチョを着て自転車やモータサイクルに乗車するときには、風雨を防ぎ難い。
【０００７】
そこで本発明は、防水フード部と、該防水フード部に連続する防水コート部とを含むレインポンチョであって、これを着用する人の顔面についても、従来レインポンチョと比べると風雨を容易、確実に防ぐことができるレインポンチョを提供することを課題とする。
【課題を解決するための手段】
【０００８】
本発明は前記課題を解決するため、                                                防水フード部と、該防水フード部に連続する防水コート部とを含むレインポンチョであり、前記防水フード部は、周縁部が縁取り枠で縁取られた防水顔面カバーを備えており、該縁取り枠は、少なくとも前記防水顔面カバーの下縁部を縁取る部分が屈曲変形可能な形状保持芯材を含んでいるレインポンチョを提供する。
【０００９】
本発明に係るレインポンチョによると、従来のレインポンチョと同様に、防水フード部で頭及び首の部分を覆うとともに防水コート部で肩部分、両腕部分、背部、胸部等を覆うことができ、風雨を防ぐことができる。
【００１０】
本発明に係るレインポンチョでは、防水フード部は防水顔面カバーを備えているので、レインポンチョ着用者は、従来レインポンチョでは風雨を防ぎ難かった顔面についても従来レインポンチョと比べると該顔面カバーにより風雨を容易、確実に防ぐことができる。
【００１１】
防水顔面カバーは、その周縁部が縁取り枠で縁取られているのでそれだけ形態を安定させて使用できる。例えば、防水フード部の顔面カバー以外の部分が顔面にズレてきて視界が妨げられるというような事態ができるだけ生じない状態で使用することができる。
【００１２】
また、該縁取り枠は、少なくとも防水顔面カバーの下縁部を縁取る部分が屈曲変形可能な（屈曲させることができ、屈曲させた状態を維持できる）形状保持芯材を含んでいるから、少なくとも縁取り枠の防水顔面カバー下縁部を縁取る部分を着用者顔面の形状、顔面以外の頭部分（髪形も含めた頭部分）の形状、それらの大きさ等に応じて屈曲調整して、防水顔面カバーの形態をより使い易いように変形調整することができる。
【００１３】
また、本発明に係るレインポンチョを着用して例えば自転車やモータサイクルを運転する場合、風圧により防水顔面カバーが運転者の顔面に押し当てられて運転の妨げになるような事態ができるだけ生じないように、防水顔面カバーの形態を変形調整しておくこともできる。
【００１４】
防水顔面カバーは、それを通して前方が見えるように、少なくとも着用者の目に対応する部分は透明に形成することができる。より広い範囲を、或いは全体的に透明に形成してもよい。
【００１５】
防水顔面カバーの縁取り枠は、該カバーの形態を着用者顔面の形状、顔面以外の頭部分（髪形も含めた頭部分）の形状、それらの大きさ等に応じて調整できるように、少なくとも防水顔面カバー下縁部を縁取る部分が屈曲変形可能な形状保持芯材を含むものとするが、カバーの左右縁部を縁取る部分も、或いはカバーの上縁部を縁取る部分も屈曲変形可能な形状保持芯材を含むものとしてもよいし、全体的に屈曲変形可能な形状保持芯材を含むものとしてもよい。
【００１６】
いずれにしてもそのような形状保持芯材として、屈曲可能な金属ワイヤ（金属ワイヤそのものである場合も含む。ここでの金属ワイヤには鉛板や鉛棒等も含まれる。）を例示できるが、雨錆による劣化や劣化による折損等により縁取り枠から飛び出して人体損傷を招くような危険を抑制するために、樹脂ワイヤなどと称されている屈曲変形可能の（屈曲させることができ、屈曲させた状態を維持できる）樹脂主体の形状保持芯材（樹脂ワイヤそのものである場合も含む）を採用してもよい。
【００１７】
また、このような樹脂主体の形状保持芯材は、(1) 軽量である、(2) レインポンチョに一般的に採用されるシート材料への縫い込みや縫着が容易である、(3) 金属ワイヤと比べると該シート材料を傷つけにくい、(4) 縫製製品について行われる縫い針等の混在の有無をテストするときの検針が可能である等の点からも好ましいものである。
【００１８】
前記防水コート部としては、両腕を通す長袖部を有するタイプのものでもよいが、構造の簡素化のために正面側シート部及び背面側シート部を含む簡易な構造のものとすることができる。
【００１９】
該正面側シート部の裏面に手掛け部を設けてもよい。
この手掛け部は、レインポンチョ着用者がここに手を掛ける、手指を通し掛けるなどして、正面側シート部の扱いを容易にすることができるものであり、また、それにより正面側シート部の存在による着用者の行動の制限を低減することができるものである。
【００２０】
例えば、自転車やモータサイクルに運転者がこのような手掛け部を有するポンチョを着用して乗車した場合、運転者は正面側シート部をハンドルの前側へ垂らし配置するとともにその手或いは手指を手掛け部に掛けつつハンドル操作やブレーキ操作等が可能となるとともに、運転者の足元に空間を作って雨水の足元への直接的な垂れ落ちを抑制でき、また、自転車であればペダル操作が容易になり、いずれにしてもレインポンチョを着用している割りには、ポンチョに妨げられることなく自転車やモータサイクルの運転をそれだけ容易、安全に行える。
【００２１】
前記防水コート部が正面側シート部及び背面側シート部を含むものであるとき、該正面側シート部の下端部に、両端が該正面側シート部の下端部に連結された、自転車ハンドルシャフトへ引っ掛け可能の紐を設けてもよい。
【００２２】
このような紐を設けておくと、レインポンチョを着用して自転車に乗るとき、該紐を上下方向に延びる自転車ハンドルシャフトに引っ掛けて（結び引っ掛ける場合等も含まれる）、正面側シート部の自転車に対する位置を安定させ、また、正面側シート部の風圧による捲くれを抑制しつつ、それだけ、自転車運転を容易に安全に行える。
【００２３】
またこのような紐を設ける場合、該紐はその途中に、引っ張り分離可能の連結具を含んでいてもよい。このような連結具を含む紐を採用すると、例えばレインポンチョを着用して自転車に乗り、該紐を一旦該連結具のところで分割して自転車ハンドルに引っ掛け、再び該連結具で連結して自転車運転する場合、不測の事態等が生じて該紐に引っ張り力が加わったような場合、該連結具の部分で紐が分割分離され、それによりポンチョの動きが、ひいては運転者の動作がそれだけ自由になり、それだけ大きい事故への発展が抑制される。
【発明の効果】
【００２４】
以上説明したように本発明によると、防水フード部と、該防水フード部に連続する防水コート部とを含むレインポンチョであって、その着用者の顔面についても、従来レインポンチョと比べると風雨を容易、確実に防ぐことができるレインポンチョを提供することができる。
【図面の簡単な説明】
【００２５】
【図１】本発明に係るレインポンチョの正面図である。
【図２】図１のレインポンチョの背面図である。
【図３】図１のレインポンチョの右側面図である。
【図４】図１のレインポンチョの左側面図である。
【図５】図１のレインポンチョの、背面側シート部を捲くり上げた状態の背面図である。
【図６】図１のレインポンチョの、顔面カバー下のバンド状部分のボタン及び正面側シート部の上端部の前ボタンをそれぞれ外し、紐を連結具の部分で左右に分離した状態を示す正面図である。
【図７】紐連結具の分解斜視図である。
【図８】図１のレインポンチョの使用状態例を示す図である。
【発明を実施するための形態】
【００２６】
以下本発明の実施形態例について図面を参照して説明する。
図１は本発明に係るレインポンチョの１例の正面図であり、図２はその背面図である。図３、図４は図１のレインポンチョの右側面図、左側面図である。
【００２７】
図示のレインポンチョ１０は、防水フード部１と、防水フード部１に連続する防水コート部２とを含んでいる。これら防水フード部１及び防水コート部２はそれ自体既に知られている防水シートから一体的に形成されている。
【００２８】
防水フード部１は、人体の顔面以外の頭の部分及び該部分に続く首の部分を覆うことができるものである。
【００２９】
防水コート部２は、正面側シート部２１と背面側シート部２２とを含んでいる。それらシート部２１、２２はポンチョ着用者の首にあたる部分が開口２３しているとともにポンチョ着用者の肩部及び両腕部等に沿う部分で一体的に連続して正面側及び背面側へ振り分けられるように二つ折り様に形成されている。開口２３の縁部から前記の防水シート部１が一体的に連続している。
【００３０】
正面側シート部２１の上端部は図１で見て左右に開けられるように左右部分２１１、２１２に分割されており、これら部分２１１、２１２は前ボタン２１０で止め閉じたり、図６に示すようにボタン２１０を外して、着用者が首を容易に通せるように開けたりすることができる。
【００３１】
これら左右に分かれた部分２１１、２１２の裏側には逆３角形状の防水シート２１３が折り畳み、拡開可能に設けられている。左右部分２１１、２１２を開いても、その内側にこの防水シート２１３があり、それだけ雨等のポンチョ内側への侵入を防げるようになっている。
【００３２】
また、防水フード部１の着用者首辺りの正面側部分に対応する開いた領域を開閉する防水性のバンド状部分３がある。このバンド状部分３は、一端部３１が防水フード部１の上記開いた領域の左にある部分（図１で見て左にある部分）に連結されており、他端部３２が上記開いた領域の右にある部分（図１で見て右にある部分）にボタン３３で止め閉じたり、或いは図６に示すようにボタン３３を外して開けたりできる。例えばバンド状部分３を開けることで、着用者が首を通すことができるようになり、また、防水フード部１全体を（後述する顔面カバー６も含めた全体を）レインポンチョ着用者の頭の後ろ側へ脱いだり、脱いだ状態から再び着たりすることができる。
【００３３】
防水コート部２の正面側シート部２１の裏面には、図１、図５等に示されるように左右の手掛け部４が設けられている。手掛け部４は本例では、矩形状シートの両端を正面側シート部２１の裏面に取り付けたものであり、シート部２１の裏面との間に手指を通すことができるものである。
【００３４】
防水コート部２の正面側シート部２１の下端には紐５の両端が連結されている。この紐５は丁度中頃に連結具５３を含むものである。連結具５３は、この連結具５３を間にした紐の左右部分（図１で見て左右の部分）５１、５２を連結するものであるが、予め定めた許容範囲を超える引っ張り力が両側に加わると分離され、紐５を左右部分５１、５２に分割分離させることができるものである。
【００３５】
連結具５３についてさらに説明すると、連結具５３は図７に示すように、紐５の部分５１が繋がった部分５３１と、紐５の部分５２に繋がった部分５３２とからなっている。    部分５３１は先端に球状部５３１ａを備えており、部分５３２は先端部が二股に分かれていて球状部５３１ａが嵌脱可能の凹所或いは円形穴５３２ａがそこに形成されている。
【００３６】
部分５３１の球状部５３１ａを部分５３２の二股部へそれらを撓ませながら押し込み凹所或いは穴５３２ａへ嵌めることで部分５３１、５３２が連結され、紐部分５１、５２が繋がる。部分５３１、５３２を互いに反対方向に引っ張ることで、これらを分離し、紐部分５１、５２を分離することができる。
【００３７】
ここで注目すべきは、レインポンチョ１０の防水フード部１が、着用者の顔面をカバーして顔面への風雨を従来のレインポンチョより防ぐことができる顔面カバー６を備えている点である。顔面カバー６は、それを通して前方が見えるものであれば、一部が透明であるだけでもよいが、本例では全体的に透明のカバーである。
【００３８】
カバー６は可撓性のある透明な防水性樹脂シート（例えば塩化ビニル樹脂シート、ポリエステル系シート、ポリエチレンシート、ポリプロピレンシート等）を裁断して得ることができ、顔面カバー６は周縁部が縁取り枠７で縁取られている。縁取り枠７は、本例では、屈曲変形可能な、換言すれば、屈曲させることができ、屈曲させた状態を維持できる形状保持芯材７１を全体的に含んでいる。
【００３９】
形状保持芯材７１は、本例では、樹脂ワイヤ等と称されている、樹脂主体の屈曲変形可能な形状保持芯材である。そのような形状保持芯材の具体的なものとして、ディサ（ＤＩＳＡ）社提供の樹脂ワイヤ（商品名「フリーシエイプ」）を例示できる。
【００４０】
なお、防水顔面カバー６の縁取り枠７は、該カバーの形態を着用者顔面の形状や髪形等も含めた顔面以外の頭部分の形状、それらの大きさ等に応じて調整できるように、少なくとも防水顔面カバー６の下縁部を縁取る部分７ａが屈曲変形可能な形状保持芯材を含むものとすればよいが、本例では、縁取り枠７に全体的に芯材７１が設けられている。
【００４１】
以上説明したレインポンチョ１０は、防水コート部２の正面側及び背面側シート部２１、２２の下端部を広げ、そこから、頭を入れて防水フード部１で着用者の頭及び首の部分を覆うとともに防水コート部２で着用者の肩部分、両腕部分、背部、胸部等を覆うことができ、それだけ風雨を防ぐことができる。
【００４２】
このとき、図６に示すように、防水コート部２の正面側シート部２１上端部の左右部分２１１、２１２を前ボタン２１０を外して開いておくとともに、防水フード部１のバンド状部分３をボタン３３を外して開いておき、その状態でポンチョ１０を被れば、首を防水フード部１まで容易に到達させることができるので、その後に正面側シート部２１上端部の左右部分２１１、２１２及び防水フード部１のバンド状部分３をそれぞれ閉じればよい。
【００４３】
レインポンチョ１０を着用した状態で防水フード部１を脱ぐときには、例えばバンド状部分３を開いて防水フード部１を頭の後ろ側へ配置するように脱ぐことができ、その状態から再び着ることもできる。
【００４４】
レインポンチョ１０では、防水フード部１は防水性の顔面カバー６を備えているので、レインポンチョ着用者は、従来レインポンチョでは風雨を防ぎ難かった顔面についても従来ポンチョに比べると顔面カバー６により風雨を容易、確実に防ぐことができる。
【００４５】
顔面カバー６は、その周縁部が縁取り枠７で縁取られているのでそれだけ形態を安定させて使用できる。例えば、防水フード部１の顔面カバー６以外の部分が顔面にズレてきて視界が妨げられるというような事態ができるだけ生じない状態で使用することができる。
【００４６】
また、縁取り枠７は屈曲変形可能な（屈曲させることができ、屈曲させた状態を維持できる）形状保持芯材７１を含んでいるから、縁取り枠７の顔面カバー７１の下縁部を縁取る部分７ａや、カバー７１の左右両側縁部を縁取る部分や、カバー７１の上縁部を縁取る部分を着用者顔面の形状や髪形を含む顔面以外の頭部分の形状及びそれらの大きさ等に応じて屈曲調整して、防水顔面カバーの形態をより使い易いように変形調整することができる。
【００４７】
また、レインポンチョ１０を着用して例えば自転車やモータサイクルを運転する場合、風圧により防水顔面カバー６が運転者の顔面に押し当てられて運転の妨げになるような事態ができるだけ生じないように、防水顔面カバー６の形態を変形調整しておくこともできる。
【００４８】
防水コート部２の正面側シート部２１の裏面には前記のとおり左右の手掛け部４が設けられているので、着用者はここに手を掛ける、手指を通し掛けるなどして、正面側シート部２１の扱いを容易にすることができる。また、それにより正面側シート部２１の存在による着用者の行動の制限を低減することができる。
【００４９】
例えば、図８に例示するように、自転車Ｍに運転者（着用者）１００がこのような手掛け部４を有するポンチョ１０を着用して乗車した場合、運転者１００は正面側シート部２１を自転車ハンドルＨの前側へ垂らし配置するとともにその手或いは手指１０１を手掛け部４に掛けつつハンドル操作やブレーキ操作等が可能となるとともに、運転者１００の足元に空間を作って雨水の足元への直接的な垂れ落ちを抑制でき、また、自転車ペダル操作が容易になる。いずれにしてもレインポンチョ１０を着用している割りには、ポンチョ１０に妨げられることなく自転車Ｍやモータサイクルの運転をそれだけ容易、安全に行える。
【００５０】
また、防水コート部２の正面側シート部２１の下端部に自転車ハンドルシャフトＳへ引っ掛け可能の紐５が設けられているので、ポンチョ１０を着て自転車に乗るときには、図６、図７に示すように連結具５３を左右から引っ張って分離させ、それにより紐５を左右部分５１、５２に分割分離し、その状態で図８に例示するように自転車ハンドルＨに回し掛けて再び連結具５３を再連結することで、ハンドルシャフトＨに引っ掛けることができる。
【００５１】
かくして、レインポンチョ１０を着用して自転車Ｍに乗るとき、紐５を自転車ハンドルシャフトＨに引っ掛けて、正面側シート部２１の自転車Ｍに対する位置を安定させ、また、風圧による正面側シート部２１の捲くれを抑制して、それだけ、自転車運転を容易に安全に行える。
【００５２】
不測の事態等が生じて紐５に連結具５３を連結状態に維持しておける許容範囲を超える大きい引っ張り力が加わったような場合、連結具５３がその部分５３１、５３２で分離されて紐５が部分５１、５２に分割分離され、それによりポンチョ１０の動きが、ひいては運転者の動作がそれだけ自由になり、それだけ大きい事故への発展が抑制される。
【産業上の利用可能性】
【００５３】
本発明は、着用者の顔面についても従来より風雨を容易、確実に防げるレインポンチョを提供することに利用できる。
【符号の説明】
【００５４】
１０  レインポンチョ
１  防水フード部
２  防水コート部
２１  正面側シート部
２２  背面側シート部
２３  開口
２１１、２１２  開閉可能の左右部分
２１０  前ボタン
２１３  折り畳み拡開可能の防水シート
３  バンド状部
３１  バンド状部分の一端部
３２  バンド状部の他端部
３３  ボタン
４  手掛け部
５  紐
５１、５２  紐５の部分
５３  連結具
５３１、５３２  連結具の分離可能部分
５３１ａ    球状部
５３２ａ  凹所或いは穴
６  顔面カバー
７  縁取り枠
７ａ  縁取り枠７の一部分
７１  形状保持芯材
Ｍ  自転車
Ｈ  自転車ハンドル
Ｓ  ハンドルシャフト
１００  ポンチョを着用した運転者
１０１  手或いは手指部分
【図１】
2011127263.tif 000003
【図２】
2011127263.tif 000004
【図３】
2011127263.tif 000005
【図４】
2011127263.tif 000006
【図５】
2011127263.tif 000007
【図６】
2011127263.tif 000008
【図７】
2011127263.tif 000009
【図８】
2011127263.tif 000010